(57)【要約】【課題】屋根や天井の落下する衝撃的な荷重に耐える強度を持つ収納家具とすることにより、見栄えがよく軽量でありながら、家が倒壊したときに収納家具のそばにいる人間を守ることのできる耐震性を有する収納家具を提供することにある。【解決手段】柱材５ａ、６ａと長枠材５ｂ〜５ｄ、６ｂ〜６ｄと短枠材５ｅ〜５ｇ、６ｅ〜６ｇで概略直方体の空間を囲う枠を構成し、さらに長枠材５ｂ〜５ｄ、６ｂ〜６ｄと短枠材５ｅ〜５ｇ、６ｅ〜６ｇにそれぞれに木材５ｈ〜５ｋ、５ｍ、５ｎ、６ｈ〜６ｋ、６ｍ、６ｎを取り付け、合成断面が概略四角形となるように構成したことを特徴とする家具用枠部品５、６とする。また家具用枠部品５、６に天板１ａ、２ａ、後板１ｃ、２ｂ、側板１ｄ、２ｃ及び地板１ｅ、２ｄを取り付け、さらに扉１ｆを有する前枠板１ｂや抽斗２ｆ、２ｇを取り付けた洋服タンス１又は整理タンス２などとする。【選択図】図１
0003125277.tif 000002
【実用新案登録請求の範囲】
【請求項１】
金属材料からなる４本の柱材であって角パイプ断面、溝形鋼断面、山形鋼断面、リップ溝形鋼断面、Ｈ型鋼断面の内のいずれかの概略断面形状を有する柱材と、上部において前記４本の柱材の内の２本に対してその両端においてそれぞれ連結する２本の上長枠材と、下部において前記４本の柱材の内の２本に対してその両端においてそれぞれ連結する２本の下長枠材と、
上部において前記４本の柱材の内の２本に対してその両端においてそれぞれ連結する２本の上短枠材と、下部において前記４本の柱材の内の２本に対してその両端においてそれぞれ連結する２本の下短枠材とで、概略直方体の空間を区切る枠を構成し、
前記２本の上長枠材、前記２本の下長枠材、前記２本の上短枠材及び前記２本の下短枠材を、いずれも金属材料からなるものであって、山形鋼形状、溝形鋼形状、リップ溝形鋼形状の内のいずれかの概略断面形状を有するものとし、
さらに前記２本の上長枠材、前記２本の下長枠材、前記２本の上短枠材及び前記２本の下短枠材のそれぞれに木材を取り付け、木材と枠材を合わせた材（以下単に「合成材」という。）の断面が概略四角形となるように構成したことを特徴とする家具用枠部品。
【請求項２】
請求項１に記載した家具用枠部品であって、背面を構成する上長枠材と下長枠材の組み合わせの中間位置に中長枠材を取り付け、前記中長枠材がその両端において２本の柱材に連結するようにし、
左脇面と右脇面を構成する上短枠材と下短枠材の２組の組み合わせの中間位置にそれぞれ中短枠材を取り付け、前記中短枠材がその両端において２本の柱材に連結するようにし、
前記１本の中長枠材及び前記２本の中短枠材を、いずれも金属材料からなるものであって山形鋼形状、溝形鋼形状、リップ溝形鋼形状の内のいずれかの概略断面形状を有するものとし、前記中長枠材及び前記中短枠材のそれぞれに木材を取り付け、合成材の断面が概略四角形となるように構成したことを特徴とする家具用枠部品。
【請求項３】
請求項１に記載した家具用枠部品であって、正面と背面を構成する上長枠材と下長枠材の２組の組み合わせの中間位置にそれぞれ中長枠材を取り付け、前記中長枠材がその両端において２本の柱材に連結するようにし、
左脇面と右脇面を構成する上短枠材と下短枠材の２組の組み合わせの中間位置に中短枠材をそれぞれ取り付け、前記中短枠材がその両端において２本の柱材に連結するようにし、
前記２本の中長枠材及び前記２本の中短枠材を、いずれも金属材料からなるものであって山形鋼形状、溝形鋼形状、リップ溝形鋼形状の内のいずれかの概略断面形状を有するものとし、前記中長枠材及び前記中短枠材のそれぞれに木材を取り付け、合成材の断面が概略四角形となるように構成したことを特徴とする家具用枠部品。
【請求項４】
請求項１〜請求項３のいずれかに記載した家具用枠部品であって、背面と左脇面及び右脇面を構成する柱材と枠材とからなる四角形状の枠において、それぞれの対角部を連結する金属材料からなる筋交いを取り付けたことを特徴とする家具用枠部品。
【請求項５】
請求項１〜請求項４のいずれかに記載した家具用枠部品の天面に天板を、背面に後板を、左右両方の脇面に側板を、床面に地板をそれぞれ取り付けたことを特徴とする収納家具。
【請求項６】
請求項５に記載した収納家具であって、正面に扉を有する前枠板を取り付けたことを特徴とする収納家具。
【請求項７】
請求項５に記載した収納家具であって、抽斗を取り付けたことを特徴とする収納家具。
【考案の詳細な説明】
【技術分野】
【０００１】
本考案は、和箪笥、洋箪笥、洋服タンス、押し入れタンス、布団タンス、チェスト、クローゼットなどと呼ばれるいわゆるタンス類及び本箱、下駄箱、食器棚及びラックなどの収納家具であって耐震性の高い収納家具に関するものである。
【背景技術】
【０００２】
耐震性の高い収納家具としては、収納家具の上面と家の天井との間を伸縮部材で連結したり、収納家具の両側面に床から天井に至る側板を取り付けて、収納家具の転倒を防止する発明があった（例えば、特許文献１、２、３参照。）。
また、収納家具の底面に弾性材の敷設部材を取り付けて収納家具の転倒を防止する発明（例えば、特許文献４参照。）や、振り子を取り付けることにより収納家具の揺れを減衰させる発明もあった（例えば、特許文献５参照。）。
しかし、これらの発明は家具が転倒することは防止できるが、家が倒壊して屋根や天井が壊れ落ちたときに、収納家具のそばにいる人間を守ることはできない問題があった。重い屋根と天井が収納家具の上に落下したときに収納家具が破壊してしまうからである。
一方、強度を上げるために金属材料で収納家具の面材を構成すると、収納家具の重さが過大となる問題があった。また、木材の有する人が触れたときの肌触りの良さや、室内に置いたときの見栄えの良さは金属材料からは得られない問題があった。
【特許文献１】特開平  ８−２５２１３６号公報
【特許文献２】特開２００３−３０４９４６号公報
【特許文献３】特開２００５−１５２５１２号公報
【特許文献４】特開平  ９−  ４７３３３号公報
【特許文献５】特開平１１−  ５６５０５号公報
【考案の開示】
【考案が解決しようとする課題】
【０００３】
本考案は、上記した従来技術の欠点を除くためになされたもので、見栄えがよく軽量でありながら、家が倒壊したときに屋根や天井が落下してかかる衝撃的な荷重を支える強度を有し、収納家具のそばにいる人間を守ることのできる耐震性を有する収納家具を提供することにある。
【課題を解決するための手段】
【０００４】
金属材料からなる４本の柱材と４本の長枠材と４本の短枠材で概略直方体の空間を囲う枠を構成し、さらに４本の長枠材と４本の短枠材にそれぞれに木材を取り付け、木材と枠材を合わせた材（以下単に「合成材」という。）の断面が概略四角形となるように構成したことを特徴とする家具用枠部品とする。
また、そのような家具用枠部品に天板、後板、側板及び地板を取り付け、さらに扉を有する前枠板や抽斗などを取り付けた収納家具とする。
【考案の効果】
【０００５】
本考案により、地震が起きて家が倒壊した場合に、屋根や天井が落下してかかる衝撃的な荷重に耐え、壊れない強度を持つ収納家具を提供することができた。このため、見栄えがよく軽量でありながら、収納家具のそばにいる人間を守ることのできるという大きな効果が得られた。
【考案を実施するための最良の形態】
【０００６】
請求項１の考案は、金属材料からなる４本の柱材であって角パイプ断面、溝形鋼断面、山形鋼断面、リップ溝形鋼断面、Ｈ型鋼断面の内のいずれかの概略断面形状を有する柱材と、上部において４本の柱材の内の２本に対してその両端においてそれぞれ連結する２本の上長枠材と、下部において４本の柱材の内の２本に対してその両端においてそれぞれ連結する２本の下長枠材と、
上部において４本の柱材の内の２本に対してその両端においてそれぞれ連結する２本の上短枠材と、下部において４本の柱材の内の２本に対してその両端においてそれぞれ連結する２本の下短枠材とで、概略直方体の空間を区切る枠を構成し、
２本の上長枠材、２本の下長枠材、２本の上短枠材及び２本の下短枠材を、いずれも金属材料からなるものであって、山形鋼形状、溝形鋼形状、リップ溝形鋼形状の内のいずれかの概略断面形状を有するものとし、
さらに２本の上長枠材、２本の下長枠材、２本の上短枠材及び２本の下短枠材のそれぞれに木材を取り付け、合成材の断面が概略四角形となるように構成した家具用枠部品とする。
金属材料としては鋼材、ステンレス材及びアルミ合金などを使用することが好ましい。柱材の断面形状として角パイプ断面、溝形鋼断面、山形鋼断面、リップ溝形鋼断面、Ｈ型鋼断面の内のいずれかの概略断面形状を有するものとしたのは、重量が軽量でありながら強度が高いこと、材料の入手の容易性及び加工性の良さを考慮したものである。
柱材や合成材の断面のサイズとしては２０×２０〜１００×１００ｍｍ程度のものが好ましい、小型の収納家具にはサイズの小さな材料が、大型の収納家具にはサイズの大きな材料が適している。各金属材料の接合部は溶接、ボルト締め又はリベット締めなどにより強固に結合させることが好ましい。
４本の柱の上端と、２本の上長枠材を含む合成材の上面と、２本の上短尺材を含む合成材の上面により同一面の枠面を構成するようにしてこの枠面を天面とする。前側の２本の柱の前面と、前側の上長枠材を含む合成材の前面と、前側の下長枠材を含む合成材の前面が同一面の枠面を構成するようにしてこの枠面を正面とする。
また、後側の２本の柱の後面と、後側の上長枠材を含む合成材の後面と、後側の下長枠材を含む合成材の後面が同一面の枠面を構成するようにしてこの枠面を背面とする。左側の２本の柱の左側面と、左側の上短枠材を含む合成材の左側面と、左側の下短枠材を含む合成材の左側面が同一面の枠面を構成するようにしてこの枠面を左脇面とする。右側の２本の柱の右側面と、右側の上短枠材を含む合成材の右側面と、右側の下短枠材を含む合成材の右側面が同一面の枠面を構成するようにしてこの枠面を右脇面とする。
また、２本の下長枠材を含む合成材の上面と２本の下短枠材を含む合成材の上面が同一面を構成するようにして床面とし、２本の下長枠材を含む合成材の下面と２本の下短枠材を含む合成材の下面が同一面を構成するようにして地面とする。４本の柱の下面については地面と同じ面としてもよいし地面より下に突き出してもよいので、特にこだわるものではない。
そして木ネジを使用したりくぎ打ちなどの方法により天面に天板を、正面に前枠板を、背面に後板を、左右両方の脇面に側板を、床面に地板をぞれ取り付けるため上長枠材、下長枠材、上短枠材及び下短枠材を含む合成材のそれぞれの四角形の断面において、天面、正面、背面、左右の脇面及び床面を構成する面の一部又は全部を木材の面とすることが好ましい。
【０００７】
請求項２の考案は、請求項１に記載した家具用枠部品であって、背面を構成する上長枠材と下長枠材の組み合わせの中間位置に中長枠材を取り付け、中長枠材がその両端において２本の柱材に連結するようにし、
左脇面と右脇面を構成する上短枠材と下短枠材の２組の組み合わせの中間位置にそれぞれ中短枠材を取り付け、中短枠材がその両端において２本の柱材に連結するようにし、
１本の中長枠材及び２本の中短枠材を、いずれも金属材料からなるものであって山形鋼形状、溝形鋼形状、リップ溝形鋼形状の内のいずれかの概略断面形状を有するものとし、中長枠材及び中短枠材のそれぞれに木材を取り付け、合成材の断面が概略四角形となるように構成した家具用枠部品とする。
背面には後板を、左右両方の脇面には側板をそれぞれ取り付けるために、中長枠材及び中短枠材を含む合成材のそれぞれの概略直方体の１面が背面又は左右の脇面と同一面になるようにして、木ネジを使用したりくぎ打ちなどの方法を可能にするために、背面及び脇面を構成する合成材の一部又は全部を木材の面とすることが好ましい。
本考案は洋服ダンスのように高さの高い収納空間を必要とする収納家具の半製品として適している。
請求項３の考案は、請求項１に記載した家具用枠部品であって、正面と背面を構成する上長枠材と下長枠材の２組の組み合わせの中間位置にそれぞれ中長枠材を取り付け、中長枠材がその両端において２本の柱材に連結するようにし、
左脇面と右脇面を構成する上短枠材と下短枠材の２組の組み合わせの中間位置に中短枠材をそれぞれ取り付け、中短枠材がその両端において２本の柱材に連結するようにし、
２本の中長枠材及び２本の中短枠材を、いずれも金属材料からなるものであって山形鋼形状、溝形鋼形状、リップ溝形鋼形状の内のいずれかの概略断面形状を有するものとし、中長枠材及び中短枠材のそれぞれに木材を取り付け、合成材の断面が概略四角形となるように構成した家具用枠部品とする。
このとき２本の中長枠材及び２本の中短枠材の上面を同一平面に取り付けることが好ましい。２本の中長枠材及び２本の中短枠材で構成した枠面の上面を床面とし、その上に地板を取り付けて２段構造の収納家具としたり、抽斗を挿入したりするために適しているからである。
正面には前枠板を、背面には後板を、左右両方の脇面には側板をそれぞれ取り付けるために、中長枠材及び中短枠材を含む合成材のそれぞれの概略直方体の１面が正面、背面及び左右の脇面と同一面になるようにすることが好ましい。
また、木ネジを使用したりくぎ打ちなどの方法を可能にするために、正面、背面、左右の脇面及び床面を構成する合成材の一部又は全部を木材の面とすることが好ましい。
【０００８】
請求項４の考案は、請求項１〜請求項３のいずれかに記載した家具用枠部品であって、背面と左脇面及び右脇面を構成する柱材と枠材とからなる四角形状の枠において、それぞれの対角部を連結する金属材料からなる筋交いを取り付けた家具用枠部品とする。
本考案は、筋交いを設けることによりさらに堅牢な収納家具用の半製品として、より高い耐震性能を有する収納家具を提供するものである。
請求項５の考案は、請求項１〜請求項４のいずれかに記載した家具用枠部品の天面に天板を、背面に後板を、左右両方の脇面に側板を、床面に地板をそれぞれ取り付けた収納家具とする。
天板、後板、側板及び地板の材料としては桐、杉及び樅などの無垢材及び合板が好ましく、人の目につく面に合板を使用する場合は化粧加工を施したり、合板を取り付けた後に薄い化粧板を接着するなどの構成が好ましい。
天板、後板、側板及び地板は柱材や枠材にボルト締めして取り付ける方法、柱材や枠材に接着剤を使用して取り付ける方法、合成材を構成する木材の部分に木ねじ、金属くぎ、木くぎ又はプラスチックのくぎなどを使用して取り付ける方法がある。
本考案の収納家具において地板を多数取り付けて本箱、下駄箱、ラックなどとして使用することができる。さらに観音開き戸や引き戸などを取り付けることも好ましい。
請求項６の考案は、請求項５に記載した収納家具であって、正面に扉を有する前枠板を取り付けた収納家具とする。前枠板や扉の材料としては桐、杉及び樅などの無垢材及び合板が好ましく、人の目につく面に合板を使用する場合は化粧加工を施したり、合板を取り付けた後に薄い化粧板を接着するなどの構成が好ましい。
前枠板を正面に取り付ける方法としては、ボルト締めや接着剤を使用する方法、さらには木ねじ、金属くぎ、木くぎ又はプラスチックのくぎなどを使用して取り付ける方法がある。本考案は高さの高い収納部を必要とする洋服タンス、布団タンス、クローゼットなど扉開閉式の収納家具を提供するものである。
請求項７の考案は、請求項５に記載した収納家具であって、抽斗を取り付けた収納家具とする。地板を多数設けて複数の抽斗を取り付けて整理タンスやチェストとしたり、複数の抽斗に加えて一部に観音開き扉又は引き戸などを取り付けて和箪笥、洋箪笥、食器棚などとすることができる。
【実施例１】
【０００９】
以下本考案の実施例１を図１〜図４に示して説明する。実施例１の家具用枠部品５は、いずれも鋼材からなる柱材５ａ、枠材５ｂ〜５ｇ及び筋交い５ｐ、５ｑを溶接接合して構成した概略直方体の空間を区切る枠形状を有している。
４本の柱材５ａは一辺４０ｍｍの角パイプとし、枠材５ｂ〜５ｇは一辺４０ｍｍの軽山形鋼とし、筋交い５ｐ、５ｑは幅３２ｍｍの平鋼とし、図２に示したように枠材５ｂ〜５ｇには木材からなる角材５ｈ〜５ｋ、５ｍ、５ｎを全長に渡って取り付けて、合成材の断面が一辺４０ｍｍの概略正方形の断面を有するようにした。
このとき、角材５ｈ〜５ｋ、５ｍ、５ｎには面取り５ｒとボルト穴５ｓと座繰り穴５ｚを設けておき、それぞれ複数の位置において皿ボルト７ａとナット７ｂと平座金７ｃを使用して各枠材５ｂ〜５ｇに取り付け、皿ボルト７ａとナット７ｂが合成材の断面から外にはみ出ないようにした。
柱材５ａは１５００ｍｍの長さを有するものとし、長枠材５ｂ〜５ｄは１１２０ｍｍの長さを有するものとし、短枠材５ｅ〜５ｇは５７０ｍｍの長さを有するものとした。このようにして幅１２００ｍｍ×高さ１５００ｍｍ×奥行き６５０ｍｍのサイズを有する家具用枠部品５を構成した。
【００１０】
４本の柱材５ａは上端を、上長枠材５ｂと角材５ｈとからなる２本の合成材及び上短枠材５ｅと角材５ｋとからなる２本の合成材の上面に合わせ、柱材５ａの上端と上長枠材５ｂと角材５ｈとからなる２本の合成材の上面及び上短枠材５ｅと角材５ｋとからなる２本の合成材の上面とで一つの枠面を構成するようにしてこの枠面を天面５ｔとした。
４本の柱材５ａは下端を、下長枠材５ｄと角材５ｊとからなる２本の合成材及び下短枠材５ｇと角材５ｎとからなる２本の合成材の下面に合わせ、柱材５ａの下端と下長枠材５ｄと角材５ｊとからなる２本の合成材の下面及び下短枠材５ｇと角材５ｎとからなる２本の合成材の下面とで一つの枠面を構成するようにしてこの枠面を地面とした。
さらに、下長枠材５ｄと角材５ｊとからなる２本の合成材の上面及び下短枠材５ｇと角材５ｎとからなる２本の合成材の上面とで、４隅を柱材５ａの面積分切り欠いた形状の枠面を構成するようにしてこの枠面を床面５ｙとした。
このとき上長枠材５ｂと角材５ｈとからなる合成材の上面及び上短枠材５ｅと角材５ｋとからなる合成材の上面がそれぞれ角材５ｈ、５ｋの面を有するように、また、下長枠材５ｄと角材５ｊとからなる合成材の上面及び下短枠材５ｇと角材５ｎとからなる合成材の上面がそれぞれ角材５ｊ、５ｎの面を有するように配置した。
前側の２本の柱材５ａの前面と、前側の上長枠材５ｂと角材５ｈとからなる合成材の前面と、前側の下長枠材５ｄと角材５ｊとからなる合成材の前面とで、一つの枠面を構成するようにしてこの枠面を正面５ｕとした。このとき、上長枠材５ｂと角材５ｈとからなる合成材の前面と、下長枠材５ｄと角材５ｊとからなる合成材の前面が、それぞれ角材５ｈ、５ｊの面を有するように配置した。
後側の２本の柱材５ａの後面と、後側の上長枠材５ｂと角材５ｈとからなる合成材の後面と、後側の下長枠材５ｄと角材５ｊとからなる合成材の後面とで、一つの枠面を構成するようにしてこの枠面を背面５ｖとした。このとき、上長枠材５ｂと角材５ｈとからなる合成材の後面と、下長枠材５ｄと角材５ｊとからなる合成材の後面が、それぞれ角材５ｈ、５ｊの面を有するように配置した。
背面５ｖには上長枠材５ｂと下長枠材５ｄの中間に中長枠材５ｃを取り付け、中長枠材５ｃと角材５ｉとからなる合成材の後面が背面５ｖと同一面になるようにした。このとき中長枠材５ｃと角材５ｉからなる合成材の後面が角材５ｉの面を有するように配置した。
背面５ｖにおいて、上長枠材５ｂと角材５ｈとからなる合成材と、２本の柱材５ａと、中長枠材５ｃと角材５ｉとからなる合成材とで構成した長方形の枠の中、及び、中長枠材５ｃと角材５ｉとからなる合成材と、２本の柱材５ａと、下長枠材５ｄと角材５ｊとからなる合成材とで構成した長方形の枠の中に、それぞれの長方形の対角部を連結する筋交い５ｑを取り付けた。
【００１１】
左側の２本の柱材５ａの左側面と、左側の上短枠材５ｅと角材５ｋとからなる合成材の左側面と、左側の下短枠材５ｇと角材５ｎとからなる合成材の左側面とで、一つの枠面を構成するようにしてこの枠面を左脇面５ｗとした。このとき、上短枠材５ｅと角材５ｋとからなる合成材の左側面と、下短枠材５ｇと角材５ｎとからなる合成材の左側面が、それぞれ角材５ｋ、５ｎの面を有するように配置した。
左脇面５ｗにおいて、上短枠材５ｅと下短枠材５ｇの中間に中短枠材５ｆを取り付け、中短枠材５ｆと角材５ｍとからなる合成材の左側面が左脇面５ｗと同一面になるようにした。このとき中短枠材５ｆと角材５ｍとからなる合成材の左側面が角材５ｍの面を有するように配置した。
左側面５ｗにおいて上短枠材５ｅと角材５ｋとからなる合成材と、２本の柱材５ａと、中短枠材５ｆと角材５ｍとからなる合成材とで構成した長方形の枠の中、及び、中短枠材５ｆと角材５ｍとからなる合成材と、２本の柱材５ａと、下短枠材５ｇと角材５ｎとからなる合成材とで構成した長方形の枠の中に、それぞれの長方形の対角部を連結する筋交い５ｐを取り付けた。
右側の２本の柱材５ａの右側面と、右側の上短枠材５ｅと角材５ｋとからなる合成材の右側面と、右側の下短枠材５ｇと角材５ｎとからなる合成材の右側面とで、一つの枠面を構成するようにしてこの枠面を右脇面５ｘとした。このとき、上短枠材５ｅと角材５ｋとからなる合成材の右側面と、下短枠材５ｇと角材５ｎとからなる合成材の右側面が、それぞれ角材５ｋ、５ｎの面を有するように配置した。
右脇面５ｘにおいて、上短枠材５ｅと下短枠材５ｇの中間に中短枠材５ｆを取り付け、中短枠材５ｆと角材５ｍとからなる合成材の右側面が右脇面５ｘと同一面になるようにした。このとき中短枠材５ｆと角材５ｍとからなる合成材の右側面が角材５ｍの面を有するように配置した。
右脇面５ｘにおいて、上短枠材５ｅと角材５ｋとからなる合成材と、２本の柱材５ａと、中短枠材５ｆと角材５ｍとからなる合成材とで構成した長方形の枠の中、及び、中短枠材５ｆと角材５ｍとからなる合成材と、２本の柱材５ａと、下短枠材５ｇと角材５ｎとからなる合成材とで構成した長方形の枠の中に、それぞれの長方形の対角部を連結する筋交い５ｐを取り付けた。
【００１２】
そして、家具用枠部品５の天面５ｔ、正面５ｕ、背面５ｖ、左脇面５ｗ及び右脇面５ｘには、厚さ２０ｍｍの合板からなる天板１ａ、前枠板１ｂ、後板１ｃ、側板１ｄ及び側板１ｄをそれぞれ木ねじを使用して角材５ｈ〜５ｋ、５ｍ、５ｎに取り付けた後に、天板１ａ、前枠板１ｂ、２枚の側板１ｄの外面には厚さ３ｍｍの化粧板を接着した。
また、前枠板１ｂは中央部を開放した枠形状を有するものとし、開放した空間を塞ぐ２枚の扉１ｆを蝶番１ｇを介して前枠面１ｂに取り付けることにより、取手１ｈを有する観音開きの扉１ｆを構成した。
また、床面５ｙには厚さ２０ｍｍの合板からなる地板１ｅであって、柱材５ａに干渉しないようにするために４隅を切り欠いた地板１ｅを木ねじを使用して角材５ｊ、５ｎに取り付けた。
さらに、図示していないが扉１ｆの裏に鏡とネクタイをぶら下げるためのパイプと小物入れを取り付け、天板１ａの下にハンガーを掛けるためのパイプを取り付けて洋服タンス１とした。
【実施例２】
【００１３】
次に実施例２を図５〜図８に示して説明する。実施例２の家具用枠部品６は、いずれもアルミ合金材からなる柱材６ａ、枠材６ｂ〜６ｇ及び筋交い６ｐ、６ｑを溶接接合して構成した概略直方体の空間を区切る枠形状を有している。
４本の柱材６ａは一辺４０ｍｍの角パイプ断面を有するものとしし、枠材６ｂ〜６ｇは４０ｍｍ×２０ｍｍ×２０ｍｍの軽溝形鋼断面を有するものとし、筋交い６ｐ、６ｑは幅３２ｍｍの平鋼断面を有するものとし、図６に示したように枠材６ｂ〜６ｇには木材からなる角材６ｈ〜６ｋ、６ｍ、６ｎを全長に渡って取り付けて、合成材の断面が一辺４０ｍｍの概略正方形の断面を有するようにした。
このとき、角材６ｈ〜６ｋ、６ｍ、６ｎには面取り６ｒと、枠材６ｂ〜６ｇの肉厚分だけ除去した切欠段差６ｓを設けた。角材６ｈ〜６ｋ、６ｍ、６ｎはそれぞれ複数の位置において木ネジ８ａを使用して枠材６ｂ〜６ｇに取り付け、木ネジ８ａが合成材の断面から外にはみ出ないようにした。
柱材６ａは１５００ｍｍの長さを有するものとし、長枠材６ｂ〜６ｄは１１２０ｍｍの長さを有するものとし、短枠材６ｅ〜６ｇは５７０ｍｍの長さを有するものとした。このようにして幅１２００ｍｍ×高さ１５００ｍｍ×奥行き６５０ｍｍのサイズを有する家具用枠部品６を構成した。
【００１４】
４本の柱材６ａは上端を、上長枠材６ｂと角材６ｈとからなる２本の合成材及び上短枠材６ｅと角材６ｋとからなる２本の合成材の上面に合わせ、柱材６ａの上端と上長枠材６ｂと角材６ｈとからなる２本の合成材の上面及び上短枠材６ｅと角材６ｋとからなる２本の合成材の上面とで、一つの枠面を構成するようにしてこの枠面を天面６ｔとした。
４本の柱材６ａは下端を、下長枠材６ｄと角材６ｊとからなる２本の合成材及び下短枠材６ｇと角材６ｎとからなる２本の合成材の下面に合わせ、柱材５ａの下端と下長枠材６ｄと角材６ｊとからなる２本の合成材の下面及び下短枠材６ｇと角材６ｎとからなる２本の合成材の下面とで、一つの枠面を構成するようにしてこの枠面を地面とした。
さらに、下長枠材６ｄと角材６ｊとからなる２本の合成材の上面及び下短枠材６ｇと角材６ｎとからなる合成材の上面とで、４隅を柱材６ａの面積分切り欠いた形状の枠面を構成するようにしてこの枠面を床面６ｙとした。
このとき、上長枠材６ｂと角材６ｈとからなる合成材の上面及び上短枠材６ｅと角材６ｋとからなる合成面の上面がそれぞれ角材６ｈ、６ｋの面を有するよう、また、下長枠材６ｄと角材６ｊとからなる合成材の上面及び下短枠材６ｇと角材６ｎとからなる合成面の上面がそれぞれ角材６ｊ、６ｎの面を有するよう配置した。
前側の２本の柱材６ａの前面と、前側の上長枠材６ｂと角材６ｈとからなる合成材の前面と、前側の下長枠材６ｄと角材６ｊとからなる合成材の前面とで、一つの枠面を構成するようにしてこの枠面を正面６ｕとした。このとき、上長枠材６ｂと角材６ｈとからなる合成材の前面と、下長枠材６ｄと角材６ｊとからなる合成材の前面が、それぞれ角材６ｈ、６ｊの面を有するよう配置した。
後側の２本の柱材６ａの後面と、後側の上長枠材６ｂと角材６ｈとからなる合成材の後面と、後側の下長枠材６ｄと角材６ｊとからなる合成材の後面とで、一つの枠面を構成するようにしてこの枠面を背面６ｖとした。このとき、上長枠材６ｂと角材６ｈとからなる合成材の後面と、下長枠材６ｄと角材６ｊとからなる合成材の後面が、それぞれ角材６ｈ、
６ｊの面を有するよう配置した。
正面６ｕには、上長枠材６ｂと下長枠材６ｄの中間に中長枠材６ｃを取り付け、中長枠材６ｃと角材６ｉとからなる合成材の前面が正面６ｕと同一面になるようにした。このとき中長枠材６ｃと角材６ｉとからなる合成材の前面が角材６ｉの面を有するように配置した。
背面６ｖには、上長枠材６ｂと下長枠材６ｄの中間に中長枠材６ｃを取り付け、中長枠材６ｃと角材６ｉとからなる合成材の後面が背面６ｖと同一面になるようにした。このとき中長枠材６ｃと角材６ｉとからなる合成材の後面が角材６ｉの面を有するように配置した。
背面６ｖにおいて、上長枠材６ｂと角材６ｈとからなる合成材と、２本の柱材６ａと、中長枠材６ｃと角材６ｉとからなる合成材とで構成した長方形の枠の中、及び、中長枠材６ｃと角材６ｉとからなる合成材と、２本の柱材６ａと、下長枠材６ｄと角材６ｊとからなる合成材とで構成した長方形の枠の中に、それぞれの長方形の対角部を連結する筋交い６ｑを取り付けた。
【００１５】
左側の２本の柱材６ａの左側面と、左側の上短枠材６ｅと角材６ｋとからなる合成材の左側面と、左側の下短枠材６ｇと角材６ｎとからなる合成材の左側面とで、一つの枠面を構成するようにしてこの枠面を左脇面６ｗとした。このとき、上短枠材６ｅと角材６ｋとからなる合成材の左側面と、下短枠材６ｇと角材６ｎとからなる合成材の左側面が、それぞれ角材６ｋ、６ｎの面を有するように配置した。
左脇面６ｗにおいて、上短枠材６ｅと下短枠材６ｇの中間に中短枠材６ｆを取り付け、中短枠材６ｆと角材６ｍとからなる合成材の左側面が左脇面６ｗと同一面になるようにした。このとき中短枠材６ｆと角材６ｍとからなる合成材の左側面が角材６ｍの面を有するように配置した。
右側の２本の柱材６ａの右側面と、右側の上短枠材６ｅと角材６ｋとからなる合成材の右側面と、右側の下短枠材６ｇと角材６ｎとからなる合成材の右側面とで、一つの枠面を構成するようにしてこの枠面を右脇面６ｘとした。このとき、上短枠材６ｅと角材６ｋとからなる合成材の右側面と、下短枠材６ｇと角材６ｎとからなる合成材の右側面が、それぞれ角材６ｋ、６ｎの面を有するように配置した。
右脇面６ｘにおいて、上短枠材６ｅと下短枠材６ｇの中間に中短枠材６ｆを取り付け、中短枠材６ｆと角材６ｍとからなる合成材の右側面が右脇面６ｘと同一面になるようにした。このとき中短枠材６ｆと角材６ｍとからなる合成材の右側面が角材６ｍの面を有するように配置した。
左右脇面６ｗ、６ｘの両面において、上短枠材６ｅと角材６ｋとからなる合成材と、２本の柱材６ａと、中短枠材６ｆと角材６ｍとからなる合成材とで構成した長方形の枠の中、及び、中短枠材６ｆと角材６ｍとからなる合成材と、２本の柱材６ａと、下短枠材６ｇと角材６ｎとからなる合成材とで構成した長方形の枠の中に、それぞれの長方形の対角部を連結する筋交い６ｐを取り付けた。
また、中長枠材６ｃと角材６ｉとからなる２本の合成材の上面と、中短枠材６ｆと角材６ｍとからなる２本の合成材の上面とで、４隅を柱材６ａの面積分切り欠いた形状の枠面を構成するようにしてこの枠面も床面６ｙとした。このとき、中長枠材６ｃと角材６ｉとからなる２本の合成材の上面と、中短枠材６ｆと角材６ｍとからなる２本の合成材の上面が、それぞれ角材６ｉ、６ｍの面を有するように配置した。
【００１６】
家具用枠部品６の天面６ｔ、正面６ｕ、背面６ｖ、左脇面６ｗ及び右脇面６ｘには、厚さ２０ｍｍの杉の板からなる天板２ａ、後板２ｂ、側板２ｃ及び側板２ｃをそれぞれ木くぎを使用して角材６ｈ〜６ｋ、６ｍ、６ｎに取り付けた。
また、２枚の床面６ｙの上及び複数の中間位置に厚さ２０ｍｍの杉の板からなる地板２ｄであって、柱材６ａに干渉しないようにするために４隅を切り欠いた地板２ｄを木くぎを使用して角材６ｉ、６ｊ、６ｍ、６ｎ又は後板２ｂ、２枚の側板２ｃに取り付けた。さらに、一部の地板２ｄの間には杉の板からなる仕切板２ｅを取り付けた。
そして、地板２ｄの間の幅の広い空間に大抽斗２ｆを、幅の狭い空間に小抽斗２ｇをそれぞれ挿入して、整理タンス２とした。
【産業上の利用可能性】
【００１７】
本考案は、家具を製造販売する産業で利用される。また、鉄製の枠部品やアルミ合金製の枠部品を製造販売する産業においても利用される。
【図面の簡単な説明】
【００１８】
【図１】実施例１の家具用枠部品の斜視図である。
【図２】図１のＪ−Ｊ視断面図である。
【図３】実施例１の洋服タンスの構成を表した斜視図である。
【図４】実施例１の洋服ダンスの斜視図である。
【図５】実施例２の家具用枠部品の斜視図である。
【図６】図５のＫ−Ｋ視断面図である。
【図７】実施例２の整理タンスの構成を表した斜視図である。
【図８】実施例２の整理タンスの斜視図である。
【符号の説明】
【００１９】
１  ：洋服タンス            １ａ：天板                  １ｂ：前枠板
１ｃ：後板                  １ｄ：側板                  １ｅ：地板
１ｆ：扉                    １ｇ：蝶番                  １ｈ：取手
２  ：整理タンス            ２ａ：天板                  ２ｂ：後板
２ｃ：側板                  ２ｄ：地板                  ２ｅ：仕切板
２ｆ：大抽斗                ２ｇ：小抽斗                ５  ：家具用枠部品
５ａ：柱材                  ５ｂ：上長枠材              ５ｃ：中長枠材
５ｄ：下長枠材              ５ｅ：上短枠材              ５ｆ：中短枠材
５ｇ：下短枠材              ５ｈ：角材                  ５ｉ：角材
５ｊ：角材                  ５ｋ：角材                  ５ｍ：角材
５ｎ：角材                  ５ｐ：筋交い                ５ｑ：筋交い
５ｒ：面取り                ５ｓ：ボルト穴              ５ｔ：天面
５ｕ：正面                  ５ｖ：背面                  ５ｗ：左脇面
５ｘ：右脇面                ５ｙ：床面                  ５ｚ：座繰り穴
６  ：家具用枠部品          ６ａ：柱材                  ６ｂ：上長枠材
６ｃ：中長枠材              ６ｄ：下長枠材              ６ｅ：上短枠材
６ｆ：中短枠材              ６ｇ：下短枠材              ６ｈ：角材
６ｉ：角材                  ６ｊ：角材                  ６ｋ：角材
６ｍ：角材                  ６ｎ：角材                  ６ｐ：筋交い
６ｑ：筋交い                ６ｒ：面取り                ６ｓ：切欠段差
６ｔ：天面                  ６ｕ：正面                  ６ｖ：背面
６ｗ：左脇面                ６ｘ：右脇面                ６ｙ：床面
７ａ：皿ボルト              ７ｂ：ナット                ７ｃ：平座金
８ａ：木ネジ
【図１】
0003125277.tif 000003
【図２】
0003125277.tif 000004
【図３】
0003125277.tif 000005
【図４】
0003125277.tif 000006
【図５】
0003125277.tif 000007
【図６】
0003125277.tif 000008
【図７】
0003125277.tif 000009
【図８】
0003125277.tif 000010